(57)【要約】      （修正有）【課題】上動姿勢におけるポンプヘッドの誤操作を防止すると共に、下動姿勢においてもポンプ容器に装着することのできる保護カバーと、それを使用したポンプ容器を提供する。【解決手段】ポンプヘッド５及びキャップ３を挿入可能な背面開口が形成され、ポンプヘッド５の天面側を覆う上壁１４と、上壁１４の縁から垂下してポンプヘッド５の側面を覆うヘッド保持部と、該ヘッド保持部の下端から延設され、キャップ３の側面を覆うキャップ保持部１６と、キャップ保持部１６の下端から内側に折曲した規制壁１７とを設ける。【選択図】図５
2007186212.tif 000002
【特許請求の範囲】
【請求項１】
ポンプヘッドの上下動により容器本体の内容物をポンプヘッドのノズルから吐出可能で、ポンプヘッドを下動位置に維持可能としたポンプ機構が容器本体の口部に螺合されるキャップを介して容器本体に装着されているポンプ容器の保護カバーにおいて、該保護カバーには、ポンプヘッドの上動姿勢で、ポンプヘッドの押下げを規制する規制手段が設けられ、該ポンプヘッドの下動姿勢で、キャップに嵌合されるキャップ保持部及び／又はポンプヘッドに嵌合されるヘッド保持部を有することを特徴とする保護カバー。
【請求項２】
前記規制手段は、前記ポンプヘッドの天面側を覆う上壁と、該ポンプヘッドの下動姿勢で前記キャップに嵌合される前記キャップ保持部とを備え、該ポンプヘッドの上動姿勢で該キャップ保持部の下端が、該キャップの天面またはポンプ機構の一部に当接して、該ポンプヘッドの押下げを規制することを特徴とする請求項１記載の保護カバー。
【請求項３】
前記規制手段は、前記ポンプヘッドの天面側を覆う上壁と、該ポンプヘッドの下動姿勢で前記キャップに嵌合される前記キャップ保持部と、該キャップ保持部の下端から内側に突出された規制壁とを備え、該規制壁は、該ポンプヘッドの上動姿勢で該キャップの天面またはポンプ機構の一部に当接して該ポンプヘッドの押下げを規制し、該ポンプヘッドの下動姿勢で該キャップの下端縁に係止されることを特徴とする請求項１記載の保護カバー。
【請求項４】
前記規制手段は、前記ポンプヘッドの下動姿勢で前記キャップに嵌合される前記キャップ保持部を備え、該キャップ保持部の少なくとも一部が、該ポンプヘッドの上動姿勢で該キャップの天面またはポンプ機構の一部と、該ポンプヘッドの下端とに当接されることを特徴とする請求項１記載の保護カバー。
【請求項５】
前記規制手段は、ポンプヘッドに嵌合される前記ヘッド保持部を備えていることを特徴とする請求項１〜４のいずれかに記載の保護カバー。
【請求項６】
前記キャップ保持部が、前記キャップを弾性的に保持することを特徴とする請求項１〜５のいずれかに記載の保護カバー。
【請求項７】
前記ヘッド保持部が、前記ポンプヘッドを弾性的に保持することを特徴とする請求項１〜６のいずれかに記載の保護カバー。
【請求項８】
ポンプヘッドの上下動により容器本体の内容物をポンプヘッドのノズルから吐出可能で、ポンプヘッドを下動位置に維持可能としたポンプ機構が容器本体の口部に螺合されるキャップを介して容器本体に装着されているポンプ容器の保護カバーにおいて、該保護カバーには、ポンプ容器のポンプヘッド及びキャップを挿入可能な背面開口が形成され、ポンプヘッドの天面側を覆う上壁と、該上壁の縁から垂下してポンプヘッドの側面を弾性的に保持するヘッド保持部と、該ヘッド保持部下端から延設され、キャップの側面を弾性的に保持するキャップ保持部とからなり、前記背面開口はヘッド保持部からキャップ保持部に渡って形成され、ヘッド保持部における開口はポンプヘッド上部が嵌入する部分の開口度をポンプヘッド上部の直径よりも大とし、ポンプヘッドの上動姿勢においては、キャップ保持部の下端がキャップの天面またはポンプ機構の一部に当接することにより、ポンプヘッドの押下げを規制し、ポンプヘッドの下動姿勢においては、ヘッド保持部及びキャップ保持部が、それぞれポンプヘッド及びキャップに嵌合することを特徴とする保護カバー。
【請求項９】
前記キャップ保持部の下端からフランジ状に内側に折曲した規制壁が設けられ、前記ポンプヘッドの下動姿勢においては、該規制壁を前記キャップの下端縁に係止するようにしたことを特徴とする請求項８記載の保護カバー。
【請求項１０】
前記ヘッド保持部及び前記キャップ保持部が平面視円弧状に形成され、その円弧部の中心角が１８０度よりも大きく形成されたことを特徴とする請求項１〜９のいずれかに記載の保護カバー。
【請求項１１】
保護カバーの材質が合成樹脂製であることを特徴とする請求項１〜１０のいずれかに記載の保護カバー。
【請求項１２】
前記ポンプヘッドから突出するノズルを被覆するノズルキャップを備えたことを特徴とする請求項１〜１１のいずれかに記載の保護カバー。
【請求項１３】
前記ポンプヘッドから突出するノズルを被覆するノズルキャップと前記ポンプヘッドの押下げを規制する規制手段とが一体成型されたことを特徴とする請求項１〜１１のいずれかに記載の保護カバー。
【請求項１４】
容器本体と、該容器本体の口部に螺合されるキャップと、該キャップを介して容器本体に装着され、ポンプヘッドの上下動により容器本体の内容物をポンプヘッドのノズルから吐出可能で、ポンプヘッドを下動位置に維持可能としたポンプ機構と、前記キャップ及び／又はポンプヘッドに着脱自在に設けられた保護カバーとを有し、前記保護カバーは、ポンプヘッドの上動姿勢で、該ポンプヘッドの押下げを規制する規制手段が設けられ、該ポンプヘッドの下動姿勢でキャップに嵌合されるキャップ保持部及び／又はポンプヘッドに嵌合されるヘッド保持部を有することを特徴とするポンプ容器。
【発明の詳細な説明】
【技術分野】
【０００１】
本発明は、ポンプ容器に装着する保護カバー及びそれを備えたポンプ容器に関するものである。
【背景技術】
【０００２】
ヘアシャンプー、ボディソープ等の液体を充填するポンプ容器としては、容器本体と、容器本体の口部に設けられ、キャップ及びポンプ機構からなるキャップ手段とから構成されたものがある。ポンプ機構は、ピストンの上下移動により、シリンダ内に吸込んだ液体をポンプヘッドのノズル吐出口から吐出可能とするものである。
【０００３】
このようなポンプ機構を有するポンプ容器は、手でポンプヘッドを押すだけで容器本体内の液体を適量取り出すことができるので大変便利であるが、誤操作によりポンプヘッドを不用意に押下げ、液体を吐出してしまうことがある。
【０００４】
この誤操作を防止することができる技術が特許文献１〜４に開示されている。
【０００５】
特許文献１には、ポンプヘッドとキャップとの間に介在させ、ポンプヘッドの押下げを規制するストッパーが記載されている。
【０００６】
特許文献２には、ポンプヘッドの上方から被せるように装着し、ポンプヘッドの押下げを規制するヘッドカバーが記載されている。
【０００７】
特許文献３には、キャップ胴部とノズル収納筒とキャップ頂壁とを有し、キャップ胴部下端を案内筒上面に当接自在とすることにより、ノズル付き押下げヘッドの押下げを規制するカバーキャップが記載されている。
【０００８】
特許文献４には、ヘッド覆合部分下端から垂下したステム覆合部分の下端面をステム抜止め筒の上面に当接させることにより、押下げヘッドの押下げを規制するカバーが記載されている。
【０００９】
【特許文献１】特開２００１−１８０７７４号公報（請求項１参照）
【特許文献２】特開平８−１７５５５８号公報（段落００１６、段落００１８参照）
【特許文献３】特開平１０−２６３４４３号公報（段落００１６参照）
【特許文献４】特開２００３−１０４４１５号公報（段落００１２参照）
【発明の開示】
【発明が解決しようとする課題】
【００１０】
ポンプヘッドの上下動により容器本体の内容物をポンプヘッドのノズルから吐出可能としたポンプ容器においては、使用開始後だけでなく、出荷時等の搬送時においても、ポンプヘッドの誤操作を防止する必要がある。特許文献１〜４記載のいずれの技術もポンプヘッドの誤操作を防止することはできる。しかしながら、いずれもポンプヘッドの下動姿勢で装着することができず、ポンプヘッドが上限に位置する上動姿勢となっているため、そのポンプヘッドが伸びた分がかさばってしまい、搬送に適さない。
【００１１】
また、ポンプヘッドが下限に位置する下動姿勢で固定できるポンプ容器であれば、ポンプヘッドが下動姿勢に維持されているため、内容物が吐出されないですむと共に、かさばらないですむ。しかしながら、使用開始するために、一旦ポンプヘッドを上動姿勢にしてしまうと、再び下動姿勢に戻そうとしても、一押し分の内容物が吐出されてしまい無駄になる。そのため、ポンプヘッドの上動姿勢における誤操作防止のストッパーを別に用意しなければならない。
【００１２】
そこで、本発明は、上記に鑑み、上動姿勢におけるポンプヘッドの誤操作を防止すると共に、下動姿勢においてもポンプ容器に装着することのできる保護カバーと、それを使用したポンプ容器を提供することを目的とするものである。
【課題を解決するための手段】
【００１３】
上記目的を達成するため、本発明における保護カバーは以下の構成とした。すなわち、ポンプヘッドの上下動により容器本体の内容物をポンプヘッドのノズルから吐出可能で、ポンプヘッドを下動位置に維持可能としたポンプ機構が容器本体の口部に螺合されるキャップを介して容器本体に装着されているポンプ容器の保護カバーにおいて、保護カバーには、ポンプヘッドの上動姿勢で、ポンプヘッドの押下げを規制する規制手段が設けられ、ポンプヘッドの下動姿勢で、キャップに嵌合されるキャップ保持部及び／又はポンプヘッドに嵌合されるヘッド保持部を有することを特徴とする保護カバーである。
【００１４】
規制手段がポンプヘッドの押下げを規制するので、ポンプヘッドの誤操作を防止できる。また、ポンプヘッドの下動姿勢で、キャップに嵌合されるキャップ保持部および／又はポンプヘッドに嵌合されるヘッド保持部を有するので、下動姿勢においても保護カバーをポンプ容器に装着することができる。
【００１５】
規制手段がポンプヘッドの押下げを規制する態様としては、ポンプヘッドの上動姿勢において、（１）ポンプヘッドの天面側を覆うと共に、その下端をキャップの天面またはポンプ機構の一部に当接させて、ポンプヘッドを覆う形態としてもよいし、（２）ポンプヘッドと、キャップの天面またはポンプ機構の一部との間にストッパー状に介在させ、ポンプヘッドの下面と、キャップの天面またはポンプ機構の一部とに当接させる形態としてもよい。なお、ポンプ機構の一部としては、ポンプ機構を構成する部材のうち、ポンプヘッドよりも下方に位置するものであれば限定されるものではない。
【００１６】
前者の態様（１）について具体的には、規制手段は、ポンプヘッドの天面側を覆う上壁と、ポンプヘッドの下動姿勢でキャップに嵌合されるキャップ保持部とを備え、ポンプヘッドの上動姿勢でキャップ保持部の下端をキャップの天面またはポンプ機構の一部に当接させればよい。上壁の上からポンプヘッドを誤って押そうとしたとしても、キャップ保持部がキャップの天面またはポンプ機構の一部に当接するので、ポンプヘッドの押下げを規制することができる。
【００１７】
または、規制手段は、ポンプヘッドの天面側を覆う上壁と、ポンプヘッドの下動姿勢でキャップに嵌合されるキャップ保持部と、キャップ保持部の下端から内側に突出された規制壁とを備え、規制壁を、ポンプヘッドの上動姿勢でキャップの天面又はポンプ機構の一部に当接させてもよい。上壁の上からポンプヘッドを誤って押そうとしたとしても、規制壁がキャップの天面に当接するので、ポンプヘッドをそれ以上押し下げることができない。また、規制壁を設けた場合には、ポンプヘッドの下動姿勢において規制壁を、キャップの下端縁に係止させておけば、保護カバーの装着状態が安定し、脱落を有効に防止することができる。詳しくは、例えば、図５及び図６に示すように、保護カバーの上壁と規制壁との間隔Ｌ１と、ポンプヘッドの下動姿勢時におけるポンプヘッドの上端からキャップ下端までの長さＬ２との関係が、Ｌ１≧Ｌ２とすればよい。この関係であれば、キャップ保持部にキャップを収容することができる。
【００１８】
また、上記規制手段の後者の態様（２）について具体的には、ポンプヘッドの下動姿勢で、キャップに嵌合されるキャップ保持部を備え、キャップ保持部の少なくとも一部を、ポンプヘッドの上動姿勢で、ポンプヘッドと、キャップの天面またはポンプ機構の一部との間に介在させ、ポンプヘッドの下端と、キャップの天面またはポンプ機構の一部とに当接させればよい。キャップ保持部がストッパーとしても機能し、ポンプヘッドの押下げを規制することができる。このようにキャップ保持部を、ポンプヘッドの上動姿勢でポンプヘッドとキャップまたはポンプ機構の一部との間に介在させるためには、具体的には、キャップ保持部に、上動姿勢においてキャップよりも小径となり、かつ、下動姿勢においてキャップを保持できるような弾性を持たせればよい。または、キャップ保持部の後方端部のみを内側に折曲又は湾曲させてもよい。なお、ポンプヘッドの下動姿勢においては、キャップ保持部でキャップを保持できるので、下動姿勢でも保護カバーを装着できる。
【００１９】
規制手段は、ポンプヘッドに嵌合されるヘッド保持部を備えていることが好ましい。ポンプヘッドの上動姿勢で、ポンプ容器に保護カバーを安定的に固定することができる。また、ポンプヘッドの上動姿勢ではヘッド保持部でポンプヘッドを保持し、ポンプヘッドの下動姿勢ではヘッド保持部及びキャップ保持部でそれぞれポンプヘッド及びキャップを保持するので、上動姿勢に比べて下動姿勢のほうが、保護カバーのポンプ容器への装着状態が安定する。したがって、上動姿勢ではポンプ容器から保護カバーを取り外しやすく、下動姿勢でははずれにくく、搬送時に適している。この場合、さらに好ましくは、キャップ保持部の嵌合力をヘッド保持部の嵌合力よりも高く設定するのがよい。このようにすれば、キャップ保持部でキャップに強く固定することができ、下動姿勢となる搬送時に保護カバーが外れにくい。
【００２０】
なお、キャップ保持部とキャップとの嵌合は、例えば、キャップ保持部でキャップを弾性的に保持するようにしてもよいし、キャップ保持部及びキャップのいずれか一方に突部を設け、他方にその突部と嵌合可能な凹部を設けて保持可能としてもよい。
【００２１】
また、ヘッド保持部とポンプヘッドとの嵌合は、例えば、ヘッド保持部でポンプヘッドを弾性的に保持するようにしてもよいし、ヘッド保持部及びポンプヘッドのいずれか一方に突部を設け、他方にその突部と嵌合可能な凹部を設けて保持可能としてもよい。
【００２２】
また、上記とは別の保護カバーの態様としては、ポンプヘッドの上下動により容器本体の内容物をポンプヘッドのノズルから吐出可能で、ポンプヘッドを下動位置に維持可能としたポンプ機構が容器本体の口部に螺合されるキャップを介して容器本体に装着されているポンプ容器の保護カバーにおいて、保護カバーには、ポンプ容器のポンプヘッド及びキャップを挿入可能な背面開口が形成され、ポンプヘッドの天面側を覆う上壁と、上壁の縁から垂下してポンプヘッドの側面を弾性的に保持するヘッド保持部と、ヘッド保持部下端から延設され、キャップの側面を弾性的に保持するキャップ保持部と、からなり、背面開口はヘッド保持部からキャップ保持部に渡って形成され、ヘッド保持部における開口はポンプヘッド上部が嵌入する部分の開口度をポンプヘッド上部の直径よりも大とし、ポンプヘッドの上動姿勢においては、キャップ保持部の下端がキャップの天面またはポンプ機構の一部に当接することにより、ポンプヘッドの押下げを規制し、ポンプヘッドの下動姿勢においては、ヘッド保持部及びキャップ保持部が、それぞれポンプヘッド及びキャップに嵌合する保護カバーとしてもよい。ヘッド保持部における開口はポンプヘッド上部が嵌入する部分の開口度をポンプヘッド上部の直径よりも大とされているので、ポンプヘッドを挿入しやすい。
【００２３】
キャップ保持部の下端からフランジ状に内側に折曲した規制壁を設け、ポンプヘッドの下動姿勢において、規制壁をキャップの下端縁に係止するようにしておけば、ポンプヘッドの下動姿勢における保護カバーの装着状態が安定する。
【００２４】
ヘッド保持部及びキャップ保持部は平面視円弧状に形成し、円弧部は中心角が１８０度よりも大きく形成するのが好ましく、２１０〜２４０度に設定するのがより好ましい。その円弧部の中心角が１８０度よりも大きければ、ヘッド保持部及びキャップ保持部がポンプヘッド及びキャップの側面の多くを覆うので、保護カバーをポンプ容器に安定的に固定することができる。逆に、円弧部の中心角が１８０度よりも小さいと、上動姿勢及び下動姿勢において、保護カバーを安定的に固定することができない傾向がある。また、２１０度よりも大きければ、保護カバーの装着状態がより安定する。２４０度よりも大きければポンプヘッド及びキャップへの取り付け・取り外しが困難となるので好ましくない。なお、ヘッド保持部及びキャップ保持部は、それぞれポンプヘッド及びキャップの外周形状に対応した形状とされる。
【００２５】
保護カバーの材質としては、特に限定されないが、可撓性を有する合成樹脂製が好ましい。その例として、ポリエチレン、ポリプロピレン、シリコーン、ウレタン等が挙げられるが、これに限定されるものではない。可撓性を有する合成樹脂を用いれば、簡単に保護カバーを着脱することができる。
【００２６】
また、ポンプ容器のポンプヘッドから突出するノズルを被覆するノズルキャップを備えていることが好ましい。ノズル吐出口がノズルキャップにより覆われるので、ノズル吐出口に付着している液体が垂れるのを防止することができる。このノズルキャップはポンプヘッドの押下げを規制する規制手段と一体成型すればよい。
【発明の効果】
【００２７】
本発明によると、本保護カバーは、ポンプヘッドの上動姿勢及び下動姿勢の両姿勢において、ポンプ容器に装着することができる。上動姿勢において、規制手段がポンプヘッドの押し下げを規制するので、ポンプヘッドの誤操作を防止できる。また、下動姿勢で保護カバーをポンプ容器に装着できるので、搬送時においてポンプヘッドを下動姿勢にできる。そのため、搬送時においてかさばらないですむ。
【発明を実施するための最良の形態】
【００２８】
以下、本発明の実施の形態を図面に基づいて説明する。
【００２９】
［第１の実施形態］
図１は第１の実施形態のポンプ容器の上動姿勢を示す側面図であって、（ａ）は保護カバー装着前の状態、（ｂ）は保護カバー装着後の状態を示す、図２は同ポンプ容器の下動姿勢を示す側面図であって、（ａ）は保護カバー装着前の状態、（ｂ）は保護カバー装着後の状態を示す、図３は図１（ｂ）における要部拡大正面図、図４は図２（ｂ）における要部拡大正面図、図５は図３におけるＡ−Ａ断面図、図６は図４におけるＢ−Ｂ断面図、図７は本実施形態における保護カバーを背面上方からみた斜視図、図８は同保護カバーを背面下方からみた斜視図、図９は同保護カバーの平面図、図１０は同保護カバーの正面図、図１１は同保護カバーの背面図、図１２は図１０におけるＣ−Ｃ断面図である。
【００３０】
本実施形態のポンプ容器１は、図１及び図２に示すように、液体等の内容物を充填する容器本体２と、容器本体２の口部２ａに螺合されるキャップ３を介して容器本体２に装着されるポンプ機構４と、ポンプ機構４のポンプヘッド５を覆う保護カバー６とから構成される。保護カバー６は、後述の通り、ポンプヘッド５の上動姿勢において、ポンプヘッド５を誤って下動する誤操作を防止すると共に、ポンプヘッド５の下動姿勢においても装着することができる。
【００３１】
容器本体２は、有底筒状に形成され、上部に開口した筒状の口部２ａを有する。口部２ａの外周面には、キャップ３と螺合可能なねじ山が形成される。キャップ３の外周面には滑り止め用の溝７が形成されている。
【００３２】
ポンプ機構４は、キャップ３に対して軸回転自在に設けられる。キャップ３は、中央に挿通孔３ａが形成された天板３ｂを有する円筒状に形成される。キャップ３の内周面には、容器本体２の口部２ａに螺合可能なねじ溝が形成され、キャップ３を口部２ａに螺合することによってポンプ機構４が容器本体に着脱可能に取り付けられる。
【００３３】
ここでポンプ機構４とは、ポンプヘッド５に始まり、ポンプヘッド５の上下動により容器本体２の内容物を吐出可能とする機構全体を指している。具体的には、ポンプ機構４は、キャップ３の挿通孔３ａに挿通され、下端に吸上パイプ（図示せず）を垂下した筒状のシリンダ８と、シリンダ８内面を摺接し、スプリング（図示せず）により上方に付勢されるピストン部材（図示せず）と、ピストン部材の上端に起立され、挿通孔３ａを通ってシリンダ８内外を上下に出入り自在とされたステム９と、ステム９の上端に設けられ、内周面にねじ溝が形成されたポンプヘッド５と、シリンダ８の上端に設けられ、ポンプヘッド５内周面のねじ溝と螺合する螺合部１０と、キャップ３を天板３ｂにおいて螺合部１０との間で回転自在に保持するストッパー１１と、から構成される。ポンプヘッド５は、天面を有する円筒状に形成され、側面からノズル１２が突出しており、このノズル１２の先端が吐出口１２ａとなる。吸い上げパイプの吸上口から、シリンダ８、ステム９、ノズル１２、吐出口１２ａは連通している。
【００３４】
上記のようなポンプ機構４の構成において、ポンプヘッド５を押下げることによりピストンが下動され、ポンプヘッド５を押下げるのをやめると、スプリングの上方向への付勢力によりピストン及びポンプヘッド５は上限位置に戻される。これらの動作により、ピストンが上下移動する。このピストンの上下移動により、吸上パイプの下端の吸上口から吸い上げた容器本体２内の内容物を、ノズル１２の吐出口１２ａから吐出すことができる。すなわち、ピストンの下動姿勢からスプリングの付勢力により上動させると、容器本体２内の液体が吸上口から吸上パイプを通ってシリンダ８内に流入する。そして、ピストンを下動させると、圧力によりシリンダ８内の液体がステム９を通って吐出口１２ａから吐出される。
【００３５】
また、螺合部１０は、ポンプヘッド５とほぼ同径の円板状の台座１０ａと、それよりも小径で、側面にポンプヘッド５と螺合するねじ山が形成された螺子部１０ｂとから構成され、台座１０ａ及び螺子部１０ｂの中央には挿通孔１３ｃが形成され、その挿通孔１３ｃを通してステム９が上下動する。ポンプヘッド５を螺子部１０ｂに螺合することにより、ポンプヘッド５を下動姿勢で維持することができる。ポンプヘッド５を下動姿勢に維持すると、内容物が吐出されず、また、かさばらないので、出荷時などの搬送時に便利である。
【００３６】
また、ストッパー１１は、キャップ３よりも小径のリング状に形成され、キャップ３をシリンダ８に挿通した後キャップ３内においてストッパー１１をシリンダ８側面に固定することによってキャップ３を回転自在に保持している。このような構成により、ポンプ機構４とキャップ３は互いに回転自在に設けられる。ポンプ機構４を容器本体２に取り付ける際キャップ３のみを回転させることができるので、着脱操作をしやすい。なお、ストッパー１１の下面にパッキンを配すれば容器本体口部からの液漏れを防止できる。とキャップ３の天板３ｂとの間にパッキンを介在させてもよい。
【００３７】
保護カバー６は、ポリプロピレン、ポリエチレン、ウレタン、シリコーン等の合成樹脂製とされるが、これに限定されるものではない。保護カバー６は、図７〜図１２に示すように、ポンプヘッド５及びキャップ３を挿入可能な背面開口１３が形成され、ポンプヘッド５の天面側のほぼ全面を覆う上壁１４と、上壁１４の縁から垂下してポンプヘッド５の側面を覆い弾性的に保持するヘッド保持部１５と、ヘッド保持部１５下端から延設され、キャップ３の側面を覆い弾性的に保持するキャップ保持部１６と、キャップ保持部１６の下端からフランジ状に内側に折曲し、その下面が螺合部１０の台座１０ａの天面に接触する規制壁１７と、ヘッド保持部１５の前面から突出しノズル１２の外周形状に略沿うように形成されたノズルキャップ１８と、を有する。背面開口１３は、ヘッド保持部１５からキャップ保持部１６に渡って連続して形成される。また、上壁１４とヘッド保持部１５との間、及びヘッド保持部１５とキャップ保持部１６との間には、後方端部から水平方向に向けて切欠１９が形成される。上壁１４、ヘッド保持部１５、キャップ保持部１６及び規制壁１７が、ポンプヘッド５の押下げを規制する規制手段である。
【００３８】
保護カバー６は、ポンプヘッド５の上動姿勢において、規制壁１７の下面と螺合部１０の台座１０ａの天面とが当接するように形成される。この構成によりポンプヘッド５の押下げを規制できる。また、上記の関係に加えて、保護カバー６は、ポンプヘッド５の下動姿勢において、規制壁１７がキャップ３の下端縁に係止可能となるように形成される。この関係であれば、ポンプヘッド５の下動姿勢において、キャップ保持部１６にキャップ３を収容することができる。すなわち、ポンプヘッド５の下動姿勢においても保護カバー６を装着することができる。
【００３９】
このように、保護カバー６は、ポンプヘッド５の上動姿勢ではヘッド保持部１５でポンプヘッド５を保持し、ポンプヘッド５の下動姿勢ではヘッド保持部１５及びキャップ保持部１６でそれぞれポンプヘッド５及びキャップ３を保持する。下動姿勢ではヘッド保持部１５とキャップ保持部１６との２箇所で保持しているので、上動姿勢に比べて下動姿勢のほうが、保護カバー６のポンプ容器への固定強度が高い。したがって、上動姿勢ではポンプ容器から保護カバー６を取り外しやすく、下動姿勢となる搬送時には保護カバー６が外れにくい。
【００４０】
ヘッド保持部１５及びキャップ保持部１６は、平面視円弧状に形成され、吐出口１２ａ側の側面を中心として側面の約３／４を覆い、残りの約１／４（吐出口１２ａと反対側の側面）は開口され、背面開口１３を形成する。この背面開口１３からポンプヘッド５及びキャップ３に着脱自在に取付ることができる。また、ヘッド保持部１５及びキャップ保持部１６は、ポンプヘッド５の下動姿勢において、それぞれポンプヘッド５及びキャップ３の外周面に沿うように形成される。このようにヘッド保持部１５及びキャップ保持部１６がポンプヘッド５及びキャップ３の側面に沿って約３／４を覆っているので、ヘッド保持部１５及びキャップ保持部１６がポンプヘッド５及びキャップ３を挟み込む力、すなわち弾性保持力が発生する。したがって、保護カバー６をポンプヘッド５及びキャップ３に固定することができる。また、キャップ保持部１６の弾性保持力がヘッド保持部１５の弾性保持力よりも高く設定される。キャップ保持部１６でキャップ３に強く固定することができ、下動姿勢となる搬送時に保護カバー６が外れにくい。
【００４１】
また、保護カバー６は、上壁１４に押下げ力を加えた際に、上壁１４と規制壁１７とでポンプヘッド５が押し下げられるのを防止できる程度の強度を備えると共に、背面開口１３からポンプヘッド５及びキャップ３を着脱することが可能な程度の可撓性を有する。さらにまた、上壁１４とヘッド保持部１５との間、及びヘッド保持部１５とキャップ保持部１６との間に形成された切欠１９により、ヘッド保持部１５とキャップ保持部１６が水平方向に対して開きやすくなるので、背面開口１３からポンプヘッド５及びキャップに着脱しやすい。
【００４２】
規制壁１７は、キャップ保持部１６の端部の全域に亘って設けるのが強度の面から好ましいが、一部に設けてもよい。
【００４３】
ノズルキャップ１８は、ポンプヘッド５のノズルの吐出口１２ａから垂れた液体を、受けることができる。また、ノズルキャップ１８の下部内面には、奥行方向に向かって２本のリブ１８ａが立設されている。ノズル１２をノズルキャップ１８に挿入する際に、この２本のリブ１８ａがガイド役となるので、保護カバー６をポンプヘッド５に取り付けやすくなる。なお、ノズルキャップ１８は、底面がノズル先端側に向かって下降するように傾斜させたり、底面に凹部を形成してもよい。ノズル１２から垂れた液がこぼれにくくなる。
【００４４】
以上の構成によると、上動姿勢及び下動姿勢の両姿勢において、保護カバー６をポンプ容器１に装着することができ、同一の保護カバー６を併用することができる。上動姿勢において、規制手段がポンプヘッド５の押し下げを規制するので、ポンプヘッド５の誤操作を防止でき、また、下動姿勢においても保護カバー６をポンプ容器１に装着できるので、搬送時においてはポンプヘッド５を下動姿勢にして搬送することができる。そのため、搬送時においてかさばらないという利点を有している。
【００４５】
〔第２の実施形態〕
図１３及び図１４は第２の実施形態を示す図で、図１３は第２の実施形態のポンプ容器の上動姿勢を示す要部拡大斜視図、図１４は同じくポンプ容器の上動姿勢におけるキャップ保持部１６と台座１０ａとの位置関係を示す図である。本実施形態においては、規制手段として、上壁１４及び規制壁１７を設けずに、ポンプヘッド５の上動姿勢で、キャップ保持部１６をポンプヘッド５とキャップ３との間に介在可能とさせたことを特徴とするもので、その他の構成は第１の実施形態と同様となっている。本実施形態においては、規制手段は、キャップ保持部１６である。なお、第１の実施形態と同様に、上壁１４又は規制壁１７を設けた形態としてもよい。
【００４６】
キャップ保持部１６は、ポンプヘッド５の上動姿勢においてキャップ３よりも小径となり、ポンプヘッド５の下動姿勢においてキャップ３を保持できるような弾性を備える。また、キャップ保持部１６の上下方向の長さは、ポンプヘッド５の上動姿勢で、螺合部１０の台座１０ａの天面とポンプヘッド５の下端との間の長さと略同一とされる。この構成により、ポンプヘッド５の上動姿勢において、キャップ保持部１６の少なくとも後方端部が螺合部１０の台座１０ａの天面とポンプヘッド５の下端との間に介在し、上端がポンプヘッド５の下端面に当接し、下端が螺合部１０の台座１０ａの天面に当接することなる。したがって、キャップ保持部１６の後方端部がストッパーとして機能し、ポンプヘッド５の押下げを規制することができる。
【００４７】
また、下動姿勢においては、弾性によりキャップ保持部１６がキャップ３を保持することができる。したがって、本保護カバー６は、下動姿勢においても装着することができる。
【００４８】
〔第３の実施形態〕
図１５〜図２１は第３の実施形態を示す図で、図１５は第３の実施形態のポンプ容器の下動姿勢を示す要部拡大斜視図、図１６は同平面図、図１７は同側面図、図１８は同背面図、図１９は図１７におけるＤ−Ｄ断面図、図２０は図１８におけるＥ−Ｅ断面図、図２１は同Ｆ−Ｆ断面図である。第１の実施形態では、上壁１４とヘッド保持部１５との間、及びヘッド保持部１５とキャップ保持部１６との間に切欠１９を形成したが、本実施形態においては、図１８〜図１９に示すように、切欠１９を設けないと共に、ヘッド保持部１５における背面開口１３はポンプヘッド５上部が嵌入する部分の開口度を、ポンプヘッド５上部の直径よりも大としたことを特徴とするもので、その他の構成は第１の実施形態と同様となっている。
【００４９】
このように、ヘッド保持部１５における背面開口１３は、ポンプヘッド５上部が嵌入する部分の開口度をポンプヘッド５上部の直径よりも大とされているので、ノズル１２正面側から背面開口１３を利用してポンプ容器１に装着する際には、素材の可撓性により、ヘッド保持部１５及びキャップ保持部１６は一旦末拡がりに拡開され、その後、ポンプヘッド５の側面及びキャップ３の側面に弾性的に係合することができる。切欠１９を設けない単純な構成で、保護カバー６をポンプ容器１に装着することができる。
【図面の簡単な説明】
【００５０】
【図１】第１の実施形態のポンプ容器の上動姿勢を示す側面図であって、（ａ）は保護カバー装着前の状態、（ｂ）は保護カバー装着後の状態を示す
【図２】同ポンプ容器の下動姿勢を示す側面図であって、（ａ）は保護カバー装着前の状態、（ｂ）は保護カバー装着後の状態を示す
【図３】同ポンプ容器の上動姿勢を示す要部拡大正面図
【図４】同ポンプ容器の下動姿勢を示す要部拡大正面図
【図５】図３におけるＡ−Ａ断面図
【図６】図４におけるＢ−Ｂ断面図
【図７】同実施形態における保護カバーを背面上方からみた斜視図
【図８】同保護カバー背面下方からみた斜視図
【図９】同保護カバーの平面図
【図１０】同保護カバーの正面図
【図１１】同保護カバーの背面図
【図１２】図１０におけるＣ−Ｃ断面図
【図１３】第２の実施形態のポンプ容器の上動姿勢を示す要部拡大斜視図
【図１４】同ポンプ容器の上動姿勢におけるキャップ保持部と台座１０ａとの位置関係を示す図
【図１５】第３の実施形態ポンプ容器の下動姿勢を示す要部拡大斜視図
【図１６】同平面図
【図１７】同側面図
【図１８】同背面図
【図１９】図１７におけるＤ−Ｄ断面図
【図２０】図１８におけるＥ−Ｅ断面図
【図２１】同Ｆ−Ｆ断面図
【符号の説明】
【００５１】
１      ポンプ容器
２      容器本体
２ａ    口部
３      キャップ
３ａ    挿通孔
３ｂ    天板
４      ポンプ機構
５      ポンプヘッド
６      保護カバー
７      溝
８      シリンダ
９      ステム
１０    螺合部
１０ａ  台座
１０ｂ  螺子部
１０ｃ  挿通孔
１１    ストッパー
１２    ノズル
１２ａ  吐出口
１３    背面開口
１４    上壁
１５    ヘッド保持部
１６    キャップ保持部
１７    規制壁
１８    ノズルキャップ
１８ａ  リブ
１９    切欠
【図１】
2007186212.tif 000003
【図２】
2007186212.tif 000004
【図３】
2007186212.tif 000005
【図４】
2007186212.tif 000006
【図５】
2007186212.tif 000007
【図６】
2007186212.tif 000008
【図７】
2007186212.tif 000009
【図８】
2007186212.tif 000010
【図９】
2007186212.tif 000011
【図１０】
2007186212.tif 000012
【図１１】
2007186212.tif 000013
【図１２】
2007186212.tif 000014
【図１３】
2007186212.tif 000015
【図１４】
2007186212.tif 000016
【図１５】
2007186212.tif 000017
【図１６】
2007186212.tif 000018
【図１７】
2007186212.tif 000019
【図１８】
2007186212.tif 000020
【図１９】
2007186212.tif 000021
【図２０】
2007186212.tif 000022
【図２１】
2007186212.tif 000023